(57)【要約】【課題】  注出具の注出部を密封して覆う密封室を容易に開封でき、且つ注出部を十分に露出させることができ、注出部に外部からの差込口の装着が容易に行える包装袋を提供する。    【解決手段】  少なくとも密封室４は収容室２と区画する区画接続部１０の一辺を有する矩形状の一対のシート片７，８を重ね合わせて他の連続した三辺部を接着したものであって、区画接続部１０に連続した三辺部の各接着部１４，１４，１９をシート片７，８から除去するための始点となる切り込み又は切り欠き１５（１８），１６を設けると共に、該切り込み又は切り欠き１５（１８），１６の進行方向が注出具の外形と干渉しない方向に設定する。【選択図】  図３
2009241995.tif 000002
【特許請求の範囲】
【請求項１】
医薬品又は食品等の被収容物が収容可能な収容室と、該収容室から突出して設けられ該収容室に収容される前記被収容物が注出可能な注出具と、前記収容室から延出して前記注出具の突出した部分を密封して覆う密封室と、を備えた包装袋において、少なくとも前記密封室は前記収容室と区画する区画接続部の一辺を有する矩形状の部分を含むシート片を重ね合わせて他の連続した三辺部を接着したものであって、前記区画接続部に前記連続した三辺部の接着部を前記シート片から除去するための始点となる切り込み又は切り欠きを設けると共に、該切り込み又は切り欠きの進行方向が前記注出具の外形と干渉しない方向に設定されていることを特徴とする包装袋。
【請求項２】
前記区画接続部には、前記収容室の左右両側の少なくともいずれか一方から前記注出具へ向かう通路接続部が連続して設けられており、前記収容室の縦接着部を切断し、且つ前記通路接続部を経由して前記区画接続部の一部に食い込んだ縦方向に向かう前記切り込みが設けられていることを特徴とする請求項１に記載の包装袋。
【請求項３】
前記区画接続部には、前記収容室の左右両側の少なくともいずれか一方から前記注出具へ向かう通路接続部が連続して設けられており、前記通路接続部には、前記区画接続部に接した切り欠き部が形成されており、該切り欠き部と接する前記区画接続部には、縦方向に向かう前記切り込み又は切り欠きが設けられていることを特徴とする請求項１に記載の包装袋。
【請求項４】
医薬品又は食品等の被収容物を収容可能な収容室と、該収容室から突出して設けられ該収容室に収容される前記被収容物を注出可能な注出具と、該注出具の突出した部分を密封して覆う密封室と、を備えた包装袋の製造方法であって、二枚の熱溶着可能なシート片を重ね合わせた中央部の内部に前記シート片と熱溶着可能な注出具を介在させ、該注出具を境にして長手方向を二分するようにして前記収容室と前記密封室とを形成すべく前記二枚のシート片を剥離不能に熱溶着して前記収容室と前記密封室との境界に区画接続部を形成し、該区画接続部に連続して前記収容室の左右両側の少なくともいずれか一方から前記注出具へ向かう前記二枚のシート片を剥離不能に熱溶着した通路接続部を形成すると共に、前記収容室の左右両側の縦接着部を切断し、前記通路接続部を経由して前記区画接続部の一部に食い込んだ縦方向に向かう切り込みを形成するようにしたことを特徴とする包装袋の製造方法。
【請求項５】
医薬品又は食品等の被収容物を収容可能な収容室と、該収容室から突出して設けられ該収容室に収容される前記被収容物を注出可能な注出具と、該注出具の突出した部分を密封して覆う密封室と、を備えた包装袋の製造方法であって、二枚の熱溶着可能なシート片を重ね合わせた中央部の内部に前記シート片と熱溶着可能な注出具を介在させ、該注出具を境にして長手方向を二分するようにして前記収容室と前記密封室とを形成すべく前記二枚のシート片を剥離不能に熱溶着して前記収容室と前記密封室との境界に区画接続部を形成し、該区画接続部に連続して前記収容室の左右両側の少なくともいずれか一方から前記注出具へ向かう前記二枚のシート片を剥離不能に熱溶着した通路接続部を形成し、該通路接続部に接する切り欠き部を形成すると共に、該切り欠き部と接する前記区画接続部に縦方向に向かう切り込み又は切り欠きを形成するようにしたことを特徴とする包装袋の製造方法。
【発明の詳細な説明】
【技術分野】
【０００１】
この発明は、収容室内に収容された栄養剤等の医薬品類及び流動性食品並びに飲料やソース等の食品等の被収容物を注出する注出具が設けられた包装袋に関する。
【背景技術】
【０００２】
従来、この種の包装袋としては、内面がポリプロピレン樹脂からなるシート片を熱溶着して食品等の被収容物を収容可能な袋状の収容室を形成し、且つこの収容室の縁部に、包装シートの内面と熱溶着性を有するポリプロピレン樹脂から形成された注出具が熱溶着されて取り付けられたものが知られている。
【０００３】
この従来の包装袋は、注出具の注出部から収容室内の流動状の被収容物を外部に注出することができるものであって、注出具の注出部が収容室から露出しているので、注出部に塵等が付着する等の問題点があった。
【０００４】
そこで、かかる問題点を解消すべく、収容室を形成するシート片を、注出具の注出部を被覆できる程度に延設し、その延設されたシート片の縁部を熱溶着して注出部を密封して覆う密封室が設けられた包装袋が考えられている（特許文献１を参照のこと）。
【特許文献１】実開昭５５−１２７０４３号公報
【発明の開示】
【発明が解決しようとする課題】
【０００５】
しかしながら、上述した密封室の設けられた包装袋にあっては、使用時において、鋏等の切断具を用いずに開封できるようにするために、密封室の側縁部下方に横方向のミシン目を入れてあるが、このミシン目からシート片を切断して密封室を開封すると、その切断線上に注出部が位置するため、注出部が障害となって円滑に開封することができなかった。
【０００６】
一方、切断線上に注出部が位置しない箇所にミシン目を設けると、密封室を開封することはできるが、密封室の残片が注出部の周囲を取り囲むように残存し、注出部を容易に露出させることができないという問題点があった。そのため、被収容物が栄養剤等の流動性食品である場合、一般に、この栄養剤等を患者に投与するためのチューブの先端に設けられている接続キャップの差込口を注出部に嵌着するが、注出部周囲に密封室の残片が残存していると嵌着操作の邪魔になり、差込口を注出部に容易に嵌着することができなかった。
【０００７】
この発明は、上記従来技術の問題点を解消すべくなされたもので、注出具の注出部を密封して覆う密封室を容易に開封でき、且つ注出部を十分に露出させることができ、注出部に外部からの差込口の装着が容易に行える包装袋を提供することを課題としている。
【課題を解決するための手段】
【０００８】
上記課題を解決するため、請求項１に記載の発明は、医薬品又は食品等の被収容物が収容可能な収容室と、該収容室から突出して設けられ該収容室に収容される前記被収容物が注出可能な注出具と、前記収容室から延出して前記注出具の突出した部分を密封して覆う密封室と、を備えた包装袋において、少なくとも前記密封室は前記収容室と区画する区画接続部の一辺を有する矩形状の部分を含むシート片を重ね合わせて他の連続した三辺部を接着したものであって、前記区画接続部に前記連続した三辺部の接着部を前記シート片から除去するための始点となる切り込み又は切り欠きを設けると共に、該切り込み又は切り欠きの進行方向が前記注出具の外形と干渉しない方向に設定されていることを特徴としている。
【０００９】
請求項２に記載の発明は、請求項１に記載の構成に加え、前記区画接続部には、前記収容室の左右両側の少なくともいずれか一方から前記注出具へ向かう通路接続部が連続して設けられており、前記収容室の縦接着部を切断し、且つ前記通路接続部を経由して前記区画接続部の一部に食い込んだ縦方向に向かう前記切り込みが設けられていることを特徴としている。
【００１０】
請求項３に記載の発明は、請求項１に記載の構成に加え、前記区画接続部には、前記収容室の左右両側の少なくともいずれか一方から前記注出具へ向かう通路接続部が連続して設けられており、前記通路接続部には、前記区画接続部に接した切り欠き部が形成されており、該切り欠き部と接する前記区画接続部には、縦方向に向かう前記切り込み又は切り欠きが設けられていることを特徴としている。
【００１１】
請求項４に記載の発明は、医薬品又は食品等の被収容物を収容可能な収容室と、該収容室から突出して設けられ該収容室に収容される前記被収容物を注出可能な注出具と、該注出具の突出した部分を密封して覆う密封室と、を備えた包装袋の製造方法であって、二枚の熱溶着可能なシート片を重ね合わせた中央部の内部に前記シート片と熱溶着可能な注出具を介在させ、該注出具を境にして長手方向を二分するようにして前記収容室と前記密封室とを形成すべく前記二枚のシート片を剥離不能に熱溶着して前記収容室と前記密封室との境界に区画接続部を形成し、該区画接続部に連続して前記収容室の左右両側の少なくともいずれか一方から前記注出具へ向かう前記二枚のシート片を剥離不能に熱溶着した通路接続部を形成すると共に、前記収容室の左右両側の縦接着部を切断し、前記通路接続部を経由して前記区画接続部の一部に食い込んだ縦方向に向かう切り込みを形成するようにしたことを特徴としている。
【００１２】
請求項５に記載の発明は、医薬品又は食品等の被収容物を収容可能な収容室と、該収容室から突出して設けられ該収容室に収容される前記被収容物を注出可能な注出具と、該注出具の突出した部分を密封して覆う密封室と、を備えた包装袋の製造方法であって、二枚の熱溶着可能なシート片を重ね合わせた中央部の内部に前記シート片と熱溶着可能な注出具を介在させ、該注出具を境にして長手方向を二分するようにして前記収容室と前記密封室とを形成すべく前記二枚のシート片を剥離不能に熱溶着して前記収容室と前記密封室との境界に区画接続部を形成し、該区画接続部に連続して前記収容室の左右両側の少なくともいずれか一方から前記注出具へ向かう前記二枚のシート片を剥離不能に熱溶着した通路接続部を形成し、該通路接続部に接する切り欠き部を形成すると共に、該切り欠き部と接する前記区画接続部に縦方向に向かう切り込み又は切り欠きを形成するようにしたことを特徴としている。
【発明の効果】
【００１３】
請求項１に記載の発明によれば、少なくとも密封室は収容室と区画する区画接続部の一辺を有する矩形状の部分を含むシート片を重ね合わせて他の連続した三辺部を接着したものであって、区画接続部に連続した三辺部の接着部をシート片から除去するための始点となる切り込み又は切り欠きを設けると共に、該切り込み又は切り欠きの進行方向が注出具の外形と干渉しない方向に設定されているので、切り込み又は切り欠きの外側の接続部を指で摘んで切り込み又は切り欠きの進行方向に沿って密封室を引き裂くようにすると、注出具の注出部を密封して覆う密封室を容易に開封することができる。また、引き裂き方向の前方には障害となる注出具が存在しないことからシート片がきれいに引き裂け、結果として、注出部を十分に露出させることができ、注出部に外部からの差込口の装着が容易に行える。また、従来のミシン目を設けた場合と違い、密封室に脆弱部分がないため、誤って注出具が空気に触れるようなことがなく、衛生的に保たれる。
【００１４】
請求項２に記載の発明によれば、請求項１に記載の構成による効果に加え、区画接続部には、収容室の左右両側の少なくともいずれか一方から注出具へ向かう通路接続部が連続して設けられており、収容室の縦接着部を切断し、且つ通路接続部を経由して区画接続部の一部に食い込んだ縦方向に向かう切り込みが設けられているので、切り込みの外側の接着部を摘んでシート片を引き裂く際に、規定された切り込みに沿って引き裂く方向が誘導されるため、慣れない人でも注出具のある方から注出具のない方向に向かってシート片がきれいに引き裂くことができる。
【００１５】
請求項３に記載の発明によれば、請求項１に記載の構成による効果に加え、区画接続部には、収容室の左右両側の少なくともいずれか一方から注出具へ向かう通路接続部が連続して設けられており、通路接続部には、区画接続部に接した切り欠き部が形成されており、該切り欠き部と接する区画接続部には、縦方向に向かう前記切り込み又は切り欠きが設けられているので、切り欠き部に指を入れるようにして切り込みの外側の接着部を摘んで切り込み又は切り欠きの進行方向に沿って密封室を引き裂くようにすると、切り込み又は切り欠きに沿って引き裂く方向が誘導されるため、慣れない人でも注出具のある方から注出具のない方向に向かってシート片がきれいに引き裂くことができる。
【００１６】
請求項４に記載の発明によれば、二枚の熱溶着可能なシート片を重ね合わせた中央部の内部にシート片と熱溶着可能な注出具を介在させ、該注出具を境にして長手方向を二分するようにして収容室と密封室とを形成すべく二枚のシート片を剥離不能に熱溶着して収容室と密封室との境界に区画接続部を形成し、該区画接続部に連続して収容室の左右両側の少なくともいずれか一方から注出具へ向かう二枚のシート片を剥離不能に熱溶着した通路接続部を形成すると共に、収容室の左右両側の縦接着部を切断し、通路接続部を経由して区画接続部の一部に食い込んだ縦方向に向かう切り込みを形成するようにしたので、二枚のシート片の接続工程中に切り込み加工も実行できるだけでなく、包装袋の所定形状を象るための切断工程で使用する切断刃と同様の切断刃で切り込み加工も行えるため、特別な設備を必要としないで、密封室のシート片をきれいに引き裂いて、注出部を十分に露出させられる包装袋を提供することができる。これにより、注出部に外部からの差込口の装着が容易に行える。また、従来のミシン目を設けた場合と違い、密封室に脆弱部分がないため、誤って注出具が空気に触れるようなことがなく、衛生的に保たれる。
【００１７】
請求項５に記載の発明によれば、二枚の熱溶着可能なシート片を重ね合わせた中央部の内部にシート片と熱溶着可能な注出具を介在させ、該注出具を境にして長手方向を二分するようにして収容室と密封室とを形成すべく二枚のシート片を剥離不能に熱溶着して収容室と密封室との境界に区画接続部を形成し、該区画接続部に連続して収容室の左右両側の少なくともいずれか一方から注出具へ向かう二枚のシート片を剥離不能に熱溶着した通路接続部を形成し、該通路接続部に接する切り欠き部を形成すると共に、該切り欠き部と接する区画接続部に縦方向に向かう切り込み又は切り欠きを形成するようにしたので、二枚のシート片の接続工程中に切り込み加工も実行できるだけでなく、包装袋の所定形状を象るための切断工程で使用する切断刃と同様の切断刃で切り込み加工も行えるため、特別な設備を必要としないで、密封室のシート片をきれいに引き裂いて、注出部を十分に露出させられる包装袋を提供することができる。これにより、注出部に外部からの差込口の装着が容易に行える。また、従来のミシン目を設けた場合と違い、密封室に脆弱部分がないため、誤って注出具が空気に触れるようなことがなく、衛生的に保たれる。
【発明を実施するための最良の形態】
【００１８】
以下、この発明の実施の形態を、図面を参照しながら詳細に説明する。
［発明の実施の形態１］
【００１９】
図１は、この発明の実施の形態１に係る包装袋の側面図を示している。図２は、表面側のシートを剥がした状態を示しており、所定形状の切断加工及び切り込みを行う前の状態の正面図を示している。ここで、一対のシート片の接続部に当たる箇所には、ハッチングを施している。図３は、この発明の実施の形態１に係る包装袋の完成品の正面図を示している。
【００２０】
なお、この明細書では、図面に表された物の上下方向を縦方向といい、左右方向を横方向という、こととする。
【００２１】
図１に示されている包装袋１は、栄養剤等の流動性食品及び医薬品類並びに飲料やソース等の食品等の被収納物（図示せず）を収容可能な袋状の収容室２と、この収容室２から収容されている被収容物を注出可能な注出具３が収容室２から突出して設けられている。また、注出具３を密封して覆うことのできる密封室４を備えている。
【００２２】
収容室２及び密封室４は、収容室２を形成する収容室シート部５と密封室４を形成する密封室シート部６とが一体的に形成された一対のシート片７，８を重ね合わせて形成されている。
【００２３】
具体的には、収容室シート部５と密封室シート部６とは大きさの等しい一対のシート片７，８を重ね合わせて、密封室シート部５と収容室シート部６との境界部分に相当する中央部の内面に注出具３の取付部９を介在させた状態で、そのシート片７，８の内面同士を剥離不能に熱溶着して形成された区画接続部１０により、収容室２と密封室４が区画されている。
【００２４】
さらに、収容室シート部５の左右両側縁部５ａ，５ｂの内面が剥離不能に熱溶着され、且つ区画接続部１０に連続する収容室シート部５の上縁部５ｃの内面が剥離不能に熱溶着されることにより、収容室２が形成されている。なお、収容室シート部５の下縁部５ｄは、最初は被収容物を収容室２内に充填するために接着されずに開口されており、この開口部は、被収容物を収納した後、熱溶着にて剥離不能に接着される。
【００２５】
また、密封室シート部６の両側縁部６ａ，６ｂの内面及び上縁部６ｃの内面が剥離不能に熱溶着されることにより密封室４が形成されている。
【００２６】
注出具３は、シート片７，８に接着される平面（上面）から見て略船形をした取付部９と、この取付部９から突設され、且つ流動性食品が通過する注出孔（図示せず）が貫通された筒状の注出部１１と、注出孔を封止すべく薄肉部２４を介して注出部１１と一体的に成形された栓部２３とから形成されている。なお、栓部２３を捻ることで薄肉部２４を切断して注出部１１から分離でき、この栓部２３を除去することにより注出孔が開口し、収容室２内から被収容物を注出することができるようになっている。
【００２７】
注出具３は、シート片７，８の内面と熱溶着可能な材質の合成樹脂、たとえばポリプロピレン樹脂で成形されている。一方、シート片７，８は、熱溶着性の他、被収容物の品質を維持するためガスバリア性を有する材質からなることが好ましく、更には、レトルト食品等の被収容物に対応すべく耐熱性を有する材質からなることが好ましい。
【００２８】
このような性質を有するシート片７，８としては、たとえば、熱溶着性を有する内層と、ガスバリア性を有する中層と、表面の外層とから構成される三層以上の積層フィルム等が挙げられる。ここで、内層としてはポリプロピレン樹脂等、中層としてはポリ塩化ビニリデン樹脂、ポリビニルアルコール樹脂、エチレンビニルアルコール共重合体、アルミ箔、酸化珪素等の無機物の蒸着フィルム等が挙げられる。また、外層としては印刷の必要性を考慮してポリエステル樹脂等からなるフィルムを採用することができる。
【００２９】
少なくともシート片７，８がガスバリア性を有していれば、収容室２内に酸素等のガスが侵入する虞がなく、収容室２に収容する被収容物の酸化変質等を確実に防止でき、被収容物を長期に保存することができる。
【００３０】
区画接続部１０には、収容室シート部５の左右両側縁部５ａ，５ｂから注出具３へ向かう傾斜部１２，１２を形成した通路接続部１３，１３が連続して設けられている。これにより、被収容物が傾斜部１２に沿って流れることで、収容室２から被収容物を注出し易くなる。
【００３１】
包装袋１の本体には、収容室シート部５の両側縁部５ａ，５ｂの各縦接着部１４，１４を切断し、通路接続部１３，１３を経由して区画接続部１０の一部に食い込む連続した略Ｌ字状の切り込み１５，１５が設けられており、その進行方向は縦方向となっている。
【００３２】
また、密封室シート部６の左右両側縁部６ａ，６ｂの上方には、横方向に向かう切り込み又は切り欠き１６が設けられており、縦接着部１４，１４の幅の中間部まで切り込まれている。ここで、横方向に向かう切り込み又は切り欠き１６は、少なくとも左右いずれか一方にあればよい。
【００３３】
なお、実施の形態１では、注出具３を包装袋１の中央部に設けて、傾斜部１２を注出部３の左右両側に設けているが、この発明はこれに限らず、注出具３を包装袋１の左右いずれか一方側に設けて、これに伴い傾斜部１２を一つにしてもよい。
【００３４】
次に、以上のような構成を有する実施の形態１に係る包装袋１の使用方法について説明する。
【００３５】
実施の形態１に係る包装袋１の被収容物を注出部３の注出部１１から外部へ注出しようとする場合は、最初に、一方の手で注出具３の部分を握って包装袋１を固定し、他方の手の指先で横方向の切り込み又は切り欠き１６の外側の横接続部１９を摘んで包装袋１の本体部分から引き離そうとすると、横方向の切り込み又は切り欠き１６の進行方向（図３の想像線Ｘ）に沿って密封室４を引き裂く力が作用する。そのため、横方向の切り込み又は切り欠き１６の進行方向に沿って、密封室４の上端側が包装袋１の本体部分から引き離されて、密封室４の上端側が開封する。
【００３６】
次に、この上端側の開封作業に引き続いて、一方の手で注出具３の部分を握って包装袋１を固定し、他方の手の指先で縦方向に向かう切り込み１５の外側の通路接続部１３を摘んで包装袋１の本体部分から引き離そうとすると、切り込み１５の進行方向（図３の想像線Ｙａ，Ｙｂ）に沿って密封室４を上方へ引き裂く力が作用する。この操作を包装袋１の左右両側について行うことで、切り込み１５，１５の進行方向に沿って、密封室シート部６の左右両側縁部６ａ，６ｂの縦接着部１４，１４が包装袋１の本体部分から引き離されて、密封室４の左右両側が開封する。
【００３７】
以上の横方向の開封作業及び縦方向の開封作業のいずれにおいても、密封室シート部６のシート片７，８を引き裂く際に、引き裂き方向の前方には障害となる注出具３が存在しないことからシート片７，８がきれいに引き裂ける。その後、開封された密封室４の密封室シート部６を外側に開くように捲ることで、図６に示したように、注出具３を密封室４から十分に露出させることができるから注出部１１周りの十分な作業空間が確保される。
【００３８】
これにより、栄養剤等の被収容物を患者に投与する場合であっても、注出具３の栓体１３を捻って薄肉部１２を切断し栓体２２を注出具３から除去して注出部１１の注出孔を開口させてから、接続キャップ２０の差込口２１を注出部１１に嵌着することで、栄養剤等の被収容物を注出具３から注出するといった一連の作業が容易に行うことができる。
【００３９】
以上のように、実施の形態１に係る包装袋１によれば、密封室４の左右両側の縦接続部１４，１４に設けた横方向に向かう切り込む又は切り欠き１６を始点として密封室４の上方の横接続部１９を除去することができろ。また、密封室４と収容室２との境界である区画接続部１０に設けられた縦方向に向かう切り込み１５，１５によって左右両側の縦接続部１４，１４を除去することができるので、鋏等の切断具を用いることなく容易に密封室４を開封し、注出具３を十分に露出させることができる。さらに、収容室２は、収容室シート部５が区画接続部１０と通路接続部１３，１３で剥離不能に接着されているので、切り込み１５，１５を始点として密封室４を引き裂いて開封しても、収容室２まで開封されることがない。
【００４０】
また、シート片７，８がガスバリア性を有する場合には、外気と遮断され、収容室２内及び密封室４内に酸素等のガスが収容室２内に侵入して内部の食品が酸化変質することがなく、加熱殺菌済み状態が維持された状態で常温流通、長期保存することができる。
【００４１】
また、従来のように密封室にミシン目を設けた場合と違い、実施の形態１に係る包装袋１には密封室４に脆弱部分がないため、誤って注出具３が空気に触れるようなことがなく、衛生的に保たれることになる。  
【００４２】
次に、以上のように構成される包装袋の製造方法について説明する。
【００４３】
まず、図１に示すように、一対のシート片７，８を内層が対向するように重ね合わせ、重ね合わされた両シート片７，８の中央部の内面に注出部１１を上方に向けて取付部９が水平になるように注出具３を配置した状態で、注出具３の取付部９とシート片７，８の内面及び取付部９の左右両側のシート片７，８の内面同士を剥離不能にシール装置で熱溶着する。また、密封室シート部６の両側縁部６ａ，６ｂの内面同士及び上縁部６ｃの内面同士とをシール装置で熱溶着する。
【００４４】
収容室２及び密封室４を剥離不能に熱溶着する手段と、注出具３の取付部９とシート片７，８の内面同士を剥離不能に熱溶着する手段は、一般に樹脂フィルムからなる包装袋を形成する際に用いられる熱せられたローラや板材を使用したシール装置を採用すればよい。
【００４５】
なお、シート片７，８と注出具３の熱溶着による接着工程及び密封室４を形成するための熱溶着による接着工程と同時に、又はこれらの接着工程に引き続いて、収容室シート部５の両側縁部５ａ，５ｂの内面同士及び上縁部５ｃの左右両肩部５ｅ，５ｆの下方内面同士をシール装置で熱溶着することで、収容室２と密封室４とを区画する区画接続部１０、縦接続部１４、横接続部１９及び通路接続部１３とを形成する。
【００４６】
また、包装袋１の所定の形状を象るために不要な部分を切断する工程を実行することになるが、図１に示した実施の形態１に係る包装袋１であれば、四隅の角丸を形成する切断作業を行うことになる。
【００４７】
また、この切断工程と同時に、又はこの切断作業の前後で収容室シート部５の両側縁部５ａ，５ｂの縦接着部１４，１４を切断し、通路接続部１３，１３を経由して区画接続部１０の一部に食い込む連続した略Ｌ字状の切り込み１５，１５を形成する。
【００４８】
以上の工程により、収容室２の下端部５ｄが開口した被収容物が入っていない状態の包装袋１が完成する。
【００４９】
次に、収容室２の開口した下縁部５ｄから医薬品又は流動状の調理された食品等の被収容物を充填装置を使用して充填し、その後に下端縁５ｄを剥離不能に熱溶着することで、収容室２内に目的とする医薬品又は食品等の被収容物が収容された包装袋１が完成する。なお、被収容物がレトルト殺菌を要する食品の場合には、被収容物が収容された包装袋１を加熱蒸気釜等で加熱することにより、収容室２内に収容された食品等の被収容物の殺菌処理を行うことになる。
【００５０】
実施の形態１に係る包装袋１の製造方法によれば、収容室シート部５の両側縁部５ａ，５ｂの縦接着部１４，１４を切断し、通路接続部１３，１３を経由して区画接続部１０の一部に食い込む連続した略Ｌ字状の切り込み１５，１５は、包装袋１の本体を所定の外形形状と略Ｌ字状の切り込み１５，１５の形状を有する一つの切断刃を使用することで、包装袋１の本体を所定の外形形状を象る加工と略Ｌ字状の切り込み１５，１５を形成する加工とが同時に実行できるから、切断は以外の特別な設備を必要としない。そのため、密封室４のシート片７，８をきれいに引き裂いて、注出部１１を十分に露出させられる包装袋１が安価に製造できる。
［発明の実施の形態２］
【００５１】
図４は、この発明の実施の形態２に係る包装袋の所定形状の切断及び切り込みを行う前の正面図を示している。図５は、この発明の実施の形態２に係る包装袋の完成品の正面図を示している。
【００５２】
実施の形態２に係る包装袋１は、通路接続部１３，１３には、区画接続部１０に接して内側に食い込んだ略Ｕ字形状の切り欠き部１７，１７が形成されている。切り欠き部１７，１７と接する区画接続部１０には、縦方向に向かう切り込み又は切り欠き１８，１８が設けられている。
【００５３】
そこで、実施の形態２に係る包装袋１の被収容物を注出部３の注出部１１から外部へ注出しようとする場合は、最初に、一方の手で注出具３の部分を握って包装袋１を固定し、他方の手の指先で横方向の切り込み又は切り欠き１６の外側の横接続部１９を摘んで包装袋１の本体部分から引き離そうとすると、横方向の切り込み又は切り欠き１６の進行方向（図５の想像線Ｘ）に沿って密封室４を引き裂く力が作用する。そのため、横方向の切り込み又は切り欠き１６の進行方向に沿って、密封室４の上端側が包装袋１の本体部分から引き離されて、密封室４の上端側が開封する。
【００５４】
次に、この上端側の開封作業に引き続いて、一方の手で注出具３の部分を握って包装袋１を固定し、他方の手の指先で切り込み又は切り欠き１８の外側の通路接続部１３を摘んで包装袋１の本体部分から引き離そうとすると、切り込み又は切り欠き１８の進行方向（図５の想像線Ｙａ，Ｙｂ）に沿って密封室４を上方へ引き裂く力が作用する。この操作を左右両側の切り込み又は切り欠き１８，１８について行うことで、切り込み又は切り欠き１８，１８の進行方向に沿って、密封室シート部６の両側縁部６ａ，６ｂの縦接着部１４，１４が包装袋１の本体部分から引き離されて、密封室４の左右両側が開封する。
【００５５】
以上のように、実施の形態２に係る包装袋１によれば、密封室４の左右両側の縦接続部１４，１４に設けた横方向に向かう切り込む又は切り欠き１６を始点として密封室４の上方の横接続部１９を除去することができる。また、密封室４と収容室２との境界である区画接続部１０に設けられた縦方向に向かう切り込み又は切り欠き１８，１８によって左右両側の縦接続部１４，１４を除去することができるので、鋏等の切断具を用いることなく容易に密封室４を開封し、注出具３を十分に露出させることができる。さらに、収容室２は、収容室シート部５が区画接続部１０と通路接続部１３で剥離不能に接着されているので、切り込む又は切り欠き１８，１８を始点として密封室４を引き裂いて開封しても、収容室２まで開封されることがない。
【００５６】
次に、上記構成からなる実施の形態２に係る包装袋１の製造方法について説明する。
【００５７】
実施の形態２に係る包装袋１の接着工程については、実施の形態１に係る包装袋１と同様であり、包装袋１の所定の形状を象るために不要な部分を切断する工程である四隅の角丸を形成する切断作業が必要である点は同じである。
【００５８】
実施の形態２に係る包装袋１の切断工程では、この他に、通路接続部１３，１３には、区画接続部１０に接して内側に食い込んだ略Ｕ字形状の切り欠き部１７，１７を形成することとなる。その際、切り欠き部１７，１７と接する区画接続部１０の注出具３の外側に当たる箇所に、縦方向に向かう切り込み又は切り欠き１８，１８を形成する。ここで、切り欠き部１７，１７と切り込み又は切り欠き１８，１８は、両者の形状を有する一つの切断刃を使用することで同時に形成することができるから、切断刃以外の特別な設備を必要としない。そのため、密封室４のシート片７，８をきれいに引き裂いて、注出部１１を十分に露出させられる包装袋１が安価に製造できる。
【００５９】
他の構成及び作用は、実施の形態１に係る包装袋１と同様であるため、同じ構成には同じ符号を付してその説明を省略する。
【００６０】
なお、実施の形態１及び２において、収容室２は、重ね合わされたシート片７，８を剥離不能に熱溶着することにより形成されているが、必ずしも収容室２は一対のシート片７，８で形成されている場合に限定されない。収容室２は、被収容物が収容可能で、且つ被収容物を注出する注出具３が突出して設けられていればよく、全体が一枚のシート片で一体に構成されていてもよい。
【図面の簡単な説明】
【００６１】
【図１】この発明の実施の形態１に係る包装袋の側面図である。
【図２】同実施の形態１の包装袋の表面側のシートを剥がした状態を示しており、所定形状の切断加工及び切り込みを行う前の状態の正面図である。
【図３】同実施の形態１に係る包装袋の完成品の正面図を示している。
【図４】同実施の形態２に係る包装袋の所定形状の切断及び切り込みを行う前の正面図を示している。
【図５】同実施の形態２に係る包装袋の完成品の正面図を示している。
【図６】同実施の形態１の使用状態を示した斜視図である。
【図７】同実施の形態２の使用状態を示した斜視図である。
【符号の説明】
【００６２】
１  包装袋
２  収容室
３  注出具
４  密封室
５  収容室シート部
６  密封室シート部
７，８  シート片
９  取付部
１０  区画接続部
１１  注出部
１２  傾斜部
１３  通路接続部
１４  縦接着部
１５  切り込み
１６，１８  切り込み又は切り欠き
１７  切り欠き部
１９  横接続部  
【図１】
2009241995.tif 000003
【図２】
2009241995.tif 000004
【図３】
2009241995.tif 000005
【図４】
2009241995.tif 000006
【図５】
2009241995.tif 000007
【図６】
2009241995.tif 000008
【図７】
2009241995.tif 000009